(57)【要約】【課題】ガス放電灯の電磁的な妨害に関する特性（ＥＭＩ／ＥＭＣ）が改善された無電極ガス放電灯を提供する。【解決手段】励起コイル１４が取り付けられた軟磁性のコア１０と放電管部１６とを備えて電気エネルギーを誘導原理に従い紫外線又は可視光に変換する無電極の高周波低圧ガス放電灯であって、コア１０は磁気閉回路の形状であり、放電管部１６は円筒形の筒壁内部が中空の円筒環形状で磁気閉回路形状のコア１０の直線的な形状の脚部１２の周囲を囲んで配置され、励起コイル１４は少なくとも部分的に放電管部１６とコア１０の間に配置される。【選択図】図１
2007115684.tif 000002
【特許請求の範囲】
【請求項１】
励起コイルが取り付けられた軟磁性のコアと放電管部とを備えて電気エネルギーを誘導原理に従い紫外線又は可視光に変換する無電極の高周波低圧ガス放電灯であって、
前記コアは磁気閉回路の形状であり、
前記放電管部は円筒形の筒壁内部が中空の円筒環形状で前記磁気閉回路形状のコアの直線的な形状の脚部の周囲を囲んで配置され、
前記励起コイルは少なくとも部分的に前記放電管部と前記コアの間に配置される
ことを特徴とする無電極ガス放電灯。
【請求項２】
前記磁気閉回路形状のコアは、平行に配置された２つの直線的な形状の脚部及び２つの連結脚部が設けられたＵＵ型コア又はＵＩ型コアにより形成され、
前記両方の直線的な形状の脚部には、前記励起コイルが取り付けられ、
各前記放電管部は、前記両方の直線的な形状の脚部の周囲を囲む
ことを特徴とする請求項１に記載の無電極ガス放電灯。
【請求項３】
前記励起コイルには、前記１つ又は各々の直線的な形状の脚部が挿入されるように取り付けられて、
トランスフォーマのように、前記励起コイルが一次巻線に相当し、
前記放電管部が、一重に巻かれた二次巻線に相当するように
前記放電管部に電磁的に結合される
ことを特徴とする請求項１又は２に記載の無電極ガス放電灯。
【請求項４】
前記励起コイルの銅線の太さは、前記励起コイルに流れる高周波電流の、前記励起コイル表面からの浸透深さの４倍以下である
ことを特徴とする請求項３に記載の無電極ガス放電灯。
【請求項５】
前記励起コイルは、前記放電管部の略全長以上の寸法に延伸される
ことを特徴とする請求項１〜４の何れか１項に記載の無電極ガス放電灯。
【請求項６】
前記励起コイルの駆動周波数は、２００ｋＨｚから４００ｋＨｚの範囲内である
ことを特徴とする請求項１〜５の何れか１項に記載の無電極ガス放電灯。
【請求項７】
前記放電管部の内周側の円筒形壁の外周側に、反射層が設けられる
ことを特徴とする請求項１〜６の何れか１項に記載の無電極ガス放電灯。
【請求項８】
前記放電管部の外周側の円筒形壁の内周側に、蛍光層が設けられる
ことを特徴とする請求項１〜７の何れか１項に記載の無電極ガス放電灯。
【請求項９】
前記放電管部を覆うように、蛍光層が設けられた保護ガラス管が被せられる
ことを特徴とする請求項１〜７の何れか１項に記載の無電極ガス放電灯。
【発明の詳細な説明】
【技術分野】
【０００１】
本発明は、非常に低圧（＜１０−３  …１０−６  ｂａｒ）のガス状媒体が満たされる放電管部と、誘導巻線と、磁性材料で形成されて高周波発振機から給電される励起コイルが取り付けられた磁気閉回路形状のコアとを備える無電極ガス放電灯に関する。
【背景技術】
【０００２】
磁気閉回路形状のコアは、放電管部中の筒形状の小管部を部分的に貫いて延伸される。そのような電灯は、例えば、特許文献１により知られている。
【０００３】
誘導原理に従って動作する無電極ガス放電灯では、放電管部又は電灯電球管部において、高周波の交番電磁界により、電気放電又はプラズマが発生し維持される。電気エネルギーの光への変換は、放電中の原子の励起によって成し遂げられる。放電にエネルギーを与える電気励起場は、振動する高周波電磁界によって生み出される。その他に広く知られる蛍光灯では、多くの場合は熱陰極（ＨＣＦＬ）が用いられ、稀に冷陰極（ＣＣＦＬ）が用いられるが、無電極ガス放電灯では、どのような種類の電極も必要ない。励起を引き起こし維持する役目を担う励振は、振動する高周波電磁界により行われる。
【０００４】
放電管部から電極を無くすことで、周知のようにガス放電灯の寿命を５倍から１０倍延長させることができる。無電極ガス放電灯では、ガス放電灯の電極表面が蒸発飛散するか又はスパッタリングに基づく周知の劣化メカニズムが発生しない。当然ながら、電極の減損が全く発生しないので、無電極ガス放電灯の効率は、熱陰極（ＨＣＦＬ）及び冷陰極（ＣＣＦＬ）の場合よりも高い。
【０００５】
放電管部の内部に電極が全くない状態であり、それにより電極の化学特性も全く考慮する必要がないので、放電管部の内部で放電プラズマを発生させるための活性媒体の選択幅が非常に拡大される。近年の活性媒体としては、一般的に金属蒸気（特に水銀蒸気）と不活性ガスの混合物が用いられるが、無電極ガス放電灯では、毒性が無いように水銀を含まない活性媒体が考慮されている。
【０００６】
従来の技術では、磁気誘導作用に基づいて、基本的に２種類の異なる方法の無電極ガス放電灯が知られている。既に市場で販売されているものとしては、放電管の中に延伸された棒形状のコアを用いるフィリップス社及び松下社製の無電極ガス放電灯、同様に、トロイダル形状に形成されたフェライトコアに取り付けられた環形状の放電管部を用いるオスラム社及びホンギュアン社製の無電極ガス放電灯がある。念のために、巻線がガラス放電管に直接に巻回されて、磁気コアを備えないで動作する無電極ガス放電灯も確認されていることを記載しておく。
【０００７】
例えば、フィリップス社の特許文献１には、電灯口金部を有して金属蒸気と不活性ガスが満たされた電灯電球管部と、その電灯電球管部中の筒形状の小管部に部分的に延伸されるように配置され、電灯口金部内に配置された高周波発振器により給電され、磁性材料で形成されて複数の部分から成る環形状のコアとを備える無電極ガス放電灯が記載されている。その磁性コアは、互いに分離可能な２つの部分で構成され、一方が電灯電球管部の筒形状の小管部の中で、もう一方が電灯電球管部の外側で電灯口金部の中に設けられる。電灯電球管部の外側の磁性コアは、高周波発振器により給電される誘導巻線を担持する。環形状のコア部分は、電灯電球管の中の筒形状の小管部内に配置され、そのコア部分の周りには、さらに電灯の点灯を補助（軽減）させるための銅箔ベルトが巻回される。
【０００８】
特許文献２には、ガス放電管部として球形状、環形状、洋梨（電球）形状又は楕円形のガラス体を備える低圧無電極ガス放電灯が記載されている。放電管部への電気エネルギーの導入は、放電管部の内側に部分的に配置される環形状で磁気閉回路のフェライトコアと、周波数範囲で１００ｋＨｚ〜５００ｋＨｚが供給されるように制御される一次巻線と、により生じる誘導作用で実施される。環形状のフェライトコアの部分は、ガラス体中に設けられる真空に密閉された手段を通過させることで、放電管部に搬入される。一次巻線が巻かれるフェライトコアの部分は、ガラス電球管の外側に配置される電灯口金部の中に配置される。
【０００９】
特許文献３には、略球形状で、ガス状媒体を含むと共に、小管部を有する電球管を備える蛍光灯が記載されている。環形状の磁性コアは、部分的に小管部を通って延伸され、ガス状媒体中に電磁界を誘導させる巻線を担持している。
【００１０】
オスラム有限（責任）会社（Ｏｓｒａｍ  ＧｍｂＨ）という企業製で、”Ｏｓｒａｍ  Ｅｎｄｕｒａ（登録商標）”と表示され、円筒環形状の放電電球管部が設けられ、その対向する両側端部に励起コイルを担持する２つのトロイダル型コアが取り付けられた無電極ガス放電灯が市場に出ている。そのガス放電灯は、トランスフォーマのように動作し、励起コイルはトランスフォーマの一次巻線を構成し、ガス放電管部はトランスフォーマの二次巻線を構成し、その仕事は誘導的に結合される。
【００１１】
従来技術の全てのガス放電灯は、それらが広範囲にわたる電磁妨害雑音を発生させるという欠点を有している。
【００１２】
【特許文献１】独国（ＤＥ）特許発明（Ｃ２）３００８５３５号明細書
【特許文献２】独国（ＤＥ）特許出願公開（Ａ１）１００５８８５２号明細書
【特許文献３】独国（ＤＥ）特許発明２８０９９５７号明細書
【発明の開示】
【発明が解決しようとする課題】
【００１３】
本発明の課題は、従来技術のガス放電灯の電磁的な妨害に関する特性（ＥＭＩ：電磁妨害特性／ＥＭＣ：電磁（環境）適合性（電磁両立性））が改善された無電極ガス放電灯を提供することである。
【課題を解決するための手段】
【００１４】
この課題は請求項１に記載の特徴を備えた無電極ガス放電灯によって解決される。
すなわち、本発明の無電極ガス放電灯は、励起コイルが取り付けられた軟磁性のコアと放電管部とを備えて電気エネルギーを誘導原理に従い紫外線又は可視光に変換する無電極の高周波低圧ガス放電灯であって、コアは磁気閉回路の形状であり、放電管部は円筒形の筒壁内部が中空の円筒環形状で磁気閉回路形状のコアの直線的な形状の脚部の周囲を囲んで配置され、励起コイルは少なくとも部分的に放電管部とコアの間に配置される。
【発明の効果】
【００１５】
本発明の無電極ガス放電灯では、磁気閉回路の形状で直線形状の脚部を備えるコアと、そのコアの直線形状の脚部の周囲に配置されて円筒形の筒壁内部が中空の円筒環形状のガス放電管部と、それらの間に少なくとも部分的に配置される励起コイルを備え、その励起コイルがトランスフォーマの一次巻線を構成し、ガス放電管部がトランスフォーマの二次巻線を構成するようにして、トランスフォーマのように動作させるので、電磁的な妨害に関する特性が改善された無電極ガス放電灯を提供することができる。
【発明を実施するための最良の形態】
【００１６】
以下に図面に示された好ましい実施形態を参照して本発明を詳細に説明する。
【００１７】
図１は、本発明の無電極ガス放電灯の好ましい実施形態を示す概略図である。
その放電管部１６は、好ましくは、少なくとも巻線が巻かれる部分の断面は円形である一方でＵＵ型コア又はＵＩ型コアという分類に対応して形成される磁気閉回路形状のコア１０を囲んでいる。図１の本実施形態では、Ｕ部１０’及びＩ部１０”を含むＵＩ型のコア１０が示されている。コア１０は、互いに平行で直線形で、各々に励起コイル１４が巻かれている２つの脚部１２を有している。当業者であれば、図１で実施されたコア１０の各部分の正確な形状と同様に他の形状でも実施できることを理解することができるであろう。
【００１８】
コア１０の平行で直線形の脚部１２は、円筒形の筒壁内部が中空の円筒環形状の放電管部１６の各々を貫いてガイドする。放電管部１６は、好ましくは、ガラスから作られる。その中にはガス状媒体が満たされ、そのガス状媒体の中では、交番電磁界によって、ＵＶ放射又は可視光が放射される電気放電（ガス放電）が誘導される。この媒体は、例えば水銀蒸気のような金属蒸気と、例えばアルゴンとクリプトンの混合物のような不活性ガスとを含んで、例えば２ｍｂａｒの圧力下に置かれる。放電管部１６の内部の活性媒体の特殊な成分及び実際のガス圧力は、本発明の対象ではない。本発明の構成では、ガス圧力がわずかである（ミリバール又はそれ以下の単位）場合を前提として、実際に様々な媒体でガス放電させることができる。最適な活性媒体となる基準は、発光量、スペクトル分布、万一の場合の僅かな毒性（電灯の破損時、廃棄物処理時）である。
【００１９】
図１には、励起コイル１４の接続部、高周波発振器、取り付け金具のような本発明に従うガス放電灯の多くの部材が示されていないが、当業者であれば、不足する部材を補足して理解することができる。
【００２０】
本発明に従う実施形態の無電極のガス放電灯が「トランスフォーマ」のように機能することについて説明する。コア１０は一次巻線を意図する励起コイル１４を備える。励起コイル１４の直近でその周囲に、二次巻線の代わりとなる放電管部１６を配置する。励起コイル１４と放電管部１６の内周側の壁との間隔は、好ましくは、保持できる範囲で可能な限り小さくする。更に、放電管部１６は、好ましくは、図１に示したように、それが属する脚部１２における巻線を巻回可能な全長を覆うように延伸される。励起コイル１４は、放電管部１６中に交番電磁界を誘起し、そのため放電管部１６中では、電磁誘導によりプラズマが発生してそのまま保持される。放電ガス中の原子は電離されたり励起されたりする。低いエネルギーレベル又は基底状態に戻る際に、紫外線が放射されるか可視光が放射される。
【００２１】
放電管部１６が、特殊な幾何学的形状を有し、高透磁率で磁気閉回路形状のフェライト製のコア１０に巻かれた励起コイル１４の直上の同位置に配置されるので、励起コイル１４（一次巻線）と放電管部１６内のプラズマ（二次巻線）との結合が極めて良好になり、浮遊インダクタンス及び電磁妨害放射の発生が最低限になる。全放電領域において均一の電磁界強度及び電流密度に達するようにできるので、放電管部１６の全周長及び全長上にわたって光の放射を均一にでき、光の放射を最適にできる。光の放射は、図１の中で矢印により概略的に示される。
【００２２】
図２ａ、図２ｂ、及び、図２ｃは、放電管部１６の概略斜視図、概略縦断面図、及び、概略上面図である。
放電管部１６の中空の円筒環形状部の軸方向長さは、好ましくは、それが属するコア１０の脚部１２に巻かれた励起コイル１４の巻線の長さに対応させる。放電管部１６の円筒環形状部の内径は、励起コイル１４の巻線が巻かれたコア１０の脚部１２を、僅かな半径方向の距離をおいて、放電管部１６が囲めるよう設定される。
【００２３】
図３は概略的に示された放電管部１６の上面図である。
図３に示されたように、円筒環形状の中空の筒壁内部の内周側の壁の表面に反射層１８を設けることで、光の放射量を増加させることができる。反射層１８が導電性である場合は、放電管部１６内の循環性の電界が内部短絡することを避けるため、反射層１８を円周方向に中断させる必要がある。好ましくは、反射層１８は、絶縁性（非導電性）である。
【００２４】
図４ａ及び４ｂは、Ｕ部１０’及びＩ部１０”で構成される構造の磁気閉回路形状のコア１０、及び、２つのＵ部１０’で構成される構造の磁気閉回路形状のコア１０を示す図である。
コア１０は、図示されているよりも多くか又はより少ない個々の部品により組み立てることができることは自明である。コア１０は、軟磁性材料、好ましくは、高い周波数で動作させても低損失であるフェライト材で形成される。コア１０の個々の部分は、励起コイル１４の巻線が巻回されて放電管部１６が組み付けられた後に、例えば、永久的な接着か、分解可能なねじ止めクリップかで結合させればよい。励起コイル１４は、コア１０上の絶縁層又は簡単な巻線体の上に取り付けらる。
【００２５】
図５は、各脚部１２が励起コイル１４を担持するコア１０に巻かれるＵ部１０’を概略的に示す図である。
励起コイル１４は、好ましくは、それが属する脚部１２を芯とする構造であり、その際に、巻線の銅線は、表皮効果に基づく損失を回避するために、高周波電流の表皮浸透深さの３倍から４倍を超えない太さにするべきである。銅線の断面図上の太さを上記以上にする必要がある場合は、巻線を、上述した巻線の厚みの基準を満足し、平行で切替る複数の巻線部分に分割するべきである。
【００２６】
最大の効率を得るには、電灯の駆動周波数を、用いられたコア材料の最大力率に対応する周波数に近い周波数に、但し僅かに低い周波数に設定するべきである。今日使用可能なトランジスタのスイッチングの損失を考慮することで、より良好な全効率を期待することができ、その際の駆動周波数は２００ｋＨｚから４００ｋＨｚの間に設定される。
【００２７】
上述したようにプラズマは、放電管部１６の中で、言わば、トランスフォーマにおいて、一次巻線（励起コイル１４）と非常に高い結合率を示して、一重に巻かれて短絡した二次巻線を構成する。
【００２８】
上述した「短絡」という言葉は、ここでは「プラズマのインピーダンス」を考慮したためであり、従来の意味合いで使われているのではなく、プラズマの動作抵抗に誘起されたエネルギーの移動を指している。
上述した構成では、非常に良い変換効率及び電磁（環境）適合性（ＥＭＣ）が補償される。
【００２９】
本発明の実施形態では、好ましくは、誘導巻線を形成する励起コイル１４を対称に取り付けることを考慮して、平行に配置されて、長く延伸された２つの脚部１２を備えた磁気閉回路形状のコア１０が用いられる。
【００３０】
図６ａは、放電管部１６とそれに組み込まれた各誘導巻線を示す図である。図６ｂは、巻線された脚部１２とそれに取り付けられる放電管部１６を各１つずつしか備えないガス放電灯を示す図である。
放電管部と誘導巻線については、図６ｂに示されているように、巻線された脚部１２とそれに取り付けられる放電管部１６を、各１つずつしか備えないガス放電灯を制作することも可能である。しかし、図６ｂの構造では、図６ａに示されている構造と比べて、放電管部１６の体積に対するコア１０２０の体積の比率が不利であることが明確である。従って、図６ａに示されている構造では、コア１０の損失がより少なくなる。同様に図６ａの構造では、電磁（環境）適合性も、放電管部１６を１つしか備えない構造よりも優れている。
【００３１】
本発明に従う実施形態の無電極ガス放電灯は、従来の技術と比べて以下の利点を有する。
【００３２】
励起コイル１４（一次巻線）と、放電管部１６の中で発生されるプラズマ（二次巻線）との間の狭められた磁気結合に基づき、浮遊インダクタンス及び電磁妨害放射の発生が最小限になる。コア１０及び放電管部１６の特殊な構成に基づき、全放電領域において電磁界強度及び電流密度を均一することができる。それにより、ガス放電管部１６の全周長及び全長にわたって、最適に光放射でき、より高い効率となる。
【００３３】
更なる利点は、放電管部１６とコア１０を完全に分離できる点、同様に、放電管部１６を簡単に作ることができる点である。
【００３４】
放電管部１６の内部における活性媒体と、蛍光層と反射層１８、同様に更なる保護層等の全ての組み合わせの例については、例えば、特許文献２（独国特許出願公開１００５８８５２号明細書）に記載されている。
【００３５】
本実施形態の無電極ガス放電灯は、従来からのトランスフォーマのように構成される。本実施形態の無電極ガス放電灯は、例えばフェライトのような軟磁性材料製であり、例えばＵＵ型コア又はＵＩ型コアである磁気閉回路形状のコア１０が用いられる。磁気閉回路形状のコア１０は「環形状」として記載される場合があるが、形状は必ずしも点（回転）対称でなくてもよく、むしろ好ましくは、矩形又は多角形に閉じた環に相当する形状である。コア１０は、少なくとも１つの略直線的な形状の脚部１２、特に２本の平行で直線的な形状の脚部１２を含み、その場合の一方又は両方の脚部１２に励起コイル１４が担持されることで、放電管部１６にガス放電を誘起させるトランスフォーマの一次巻線が形成される。
【００３６】
放電管部１６は、脚部１２を僅かな隙間で取り巻いて囲む円筒形の筒壁内部が中空の円筒環形状である。放電管部１６の中では、コア１０内に振動するする磁束流が発生した結果として、閉じた電磁界（線）中で自由電荷が長時間加速され、活性媒体の原子が励起されて活性化される。その振動する磁束流は、一次巻線の高周波交流電圧、又は、その結果として生じた電流によって発生される。活性媒体の選択は、要求される発光量及びスペクトル分布により決定される。点灯にはミリバール領域又はそれ以下のわずかなガス圧が要求される。
【００３７】
プラズマ電流が発生される放電管部１６中に、電流を誘起する励起コイル１４を、その間の空間を狭くして組み込むことにより、外部磁界を充分に消去できる。別の表現として、一次巻線と二次巻線（プラズマ）の間の良好な結合により、電磁妨害放射の発生を充分に低減させることができる。本発明の実施形態により示されたようにコア１０、励起コイル１４及び放電管部１６を配置することで、全ての放電領域で均一な電磁界の強さ及び均一な電流密度を得ることができる。それにより、電灯の全長にわたって発光処理及び効率の関係を最適にすることができる。
【００３８】
本発明の実施形態は、誘導原理に基づいて、その結果として、電磁妨害雑音放出を特に低減できると同時により高い発光量の構造の無電極高周波放電灯を開示している。本発明に基づく実施形態のガス放電灯の有利な性質としては、一面としては放電電流と励起電流の間の結合度が高いことであり、他方の面では放電管部１６内の電界の割合が殆ど均一になることであり、それらは、放電管部１６が円筒形の筒壁内部が中空の円筒環形状で、その円筒環形状の全長にわたり延伸される励起コイル１４の直接の表面上に配置され、その励起コイル１４が、高透磁率で完全に磁気閉回路形状のフェライトコア１０に取り付けられる構造となった結果により達成される。
【００３９】
本発明の実施形態のガス放電灯のさらなる有利な点としては、放電管部１６と（トランスフォーマの）コア１０を完全に互いに分離できる点、及び、放電管部１６が従来のガラス管よりも容易に製造できる点がある。
【００４０】
独国特許文献１では、ガラス電球の異なる領域中では異なる電流密度になる特殊な放電幾何学形状（放電方法）に基づく一方で、本発明の実施形態では、放電管部１６の電磁界強度比率が均質で全方向に同一という幾何学形状に基づき、最適な電流密度が得られ、それにより発光量もより多くすることができる。特に、浮遊インダクタンス及びそれに関連する電磁（環境）適合性に関しては、同様に本発明に従う実施形態の設計が従来よりも優れている。
【００４１】
特許文献２では、放電電流は、好ましくは、放電管部の形状に対応する大きなループ形状のコアを通って流れる。そのような大きなループは相等な浮遊インダクタンスを発生させ、高周波電流の送信アンテナとして働く。これらの問題は、本発明の実施形態では、ほぼその全てを回避することができる。又、本発明の実施形態に従って放電管部１６を製造することや、同様に本発明の実施形態に従ってガス放電灯を組み立てることも、従来の技術による多くの実施形態と比べて容易である。
【００４２】
本発明の好ましい実施形態では、２つの平行に配置されて直線的な形状の脚部１２、及び、２つの連結脚部が設けられたＵＵ型コア１０又はＵＩ型コア１０に分類される磁気閉回路形状のコア１０が設けられる。両方の直線的な形状の脚部１２には、各々の周囲を囲んで、トランスフォーマのように、励起コイル１４が一次巻線に相当し、放電管部１６が、一重だけ巻かれた二次巻線に相当するように、放電管部１６に電磁的に結合される励起コイル１４が取り付けられる。
【００４３】
一方、ただ１つの脚部１２のみに励起コイル１４とそれに属する放電管部１６を用いることも同様に可能であるが、その実施形態では、放電管部１６の体積に対するコア１０の体積の割合が本質的に不利になる。又、コア１０の２つの脚部１２が平行に配置され、各脚部１２に巻線が巻回されて放電管部１６が組み込まれたほうが、電磁（環境）適合性も有利である。
【００４４】
励起コイル１４は、好ましくは、その上に被せられる放電管部１６の全長以上の寸法に延伸されて、均等（対称）に割り当てられて挿入される。巻線の銅線の太さは、表皮効果に基づく損失を回避するために、励起コイル１４を通って流れる高周波電流の表面からの浸透深さの４倍以下、特に、浸透深さの３倍以下が好ましい。
【００４５】
先に述べたガス放電灯は、好ましくは、使用されるコア材料の最大力率に対応する駆動周波数に近く、特に、その駆動周波数より僅かに低い周波数で駆動される。今日では周知となっているトランジスタのスイッチング損に関しては、駆動周波数が２００ｋＨｚから４００ｋＨｚの範囲の間であれば、良好な総合効率を達成できることが予期できる。
【００４６】
本発明の好ましい実施形態では、放電管部１６の外周側の円筒形壁の内面側に、放電管部１６の内側のプラズマから放射される紫外線を可視光に変換することで蛍光を発生させる被覆層（蛍光層）が設けられる。更に、放電管部１６の内周側の円筒形壁の外面側に、発光量を改善するように反射する被覆層（反射層１８）を設けることができる。その際に、反射層１８が短絡作用を発生できないように注意する必要がある。
【００４７】
本発明の別な実施形態では、例えば、ＵＶ電灯、又は、活性媒体を用いることで可視スペクトル領域の光が放射される場合のように、励起された原子の放射の周波数変動が全く望まれないか、又は、必要とされない場合、或いは、本発明に従う実施形態の無電極ガス放電灯装置を覆うように外側の保護ガラス管に蛍光層が設けられる場合には、放電管部１６に蛍光層を被覆しないようにできる。
【００４８】
本発明の好ましい実施形態では、放電管部１６の外径は、フェライトのコア１０の上に巻かれる励起コイル１４の直径の２倍より小さい。本発明は、誘導原理に基づき、無電極で、高周波の低圧ガス放電灯であって、構造上、発光量の向上に関わらず電磁妨害放射が特に僅かであるガス放電灯に関する。本発明に従うガス放電灯においては、放電電流と励起電流の高い結合度、及び、放電管部１６における略均一の電磁界により有効な特性を得ることができる。その略均一な電磁界は、構造上、放電管部１６が円筒形の筒壁内部が中空の円筒環形状であり、その円筒環形状が、高透磁性を有して完全に磁気閉回路となるフェライトコア１０に、その円筒環形状の全長に対応する長さに巻かれた励起コイル１４の直上に配置されることで得られる。
【００４９】
このように本実施の形態の無電極ガス放電灯では、磁気閉回路の形状で直線形状の脚部１２を備えるコア１０（２０）と、そのコア１０（２０）の直線形状の脚部１２の周囲に配置されて円筒形の筒壁内部が中空の円筒環形状のガス放電管部１６と、それらの間に少なくとも部分的に配置される励起コイル１４を備え、その励起コイル１４がトランスフォーマの一次巻線を構成し、ガス放電管部１６がトランスフォーマの二次巻線を構成するようにして、トランスフォーマのように動作させるので、電磁的な妨害に関する特性が改善された無電極ガス放電灯を提供することができる。
【００５０】
本願明細書、図面及び請求項に開示した特徴は、単独であろうと任意の組み合わせであろうと本発明の様々な実施形態の実現に寄与する。
【図面の簡単な説明】
【００５１】
【図１】本発明の無電極ガス放電灯の好ましい実施形態を示す概略図である。
【図２ａ】放電管部の概略斜視図である。
【図２ｂ】放電管部の概略縦断面図である。
【図２ｃ】放電管部の概略上面図である。
【図３】概略的に示された放電管部の上面図である。
【図４ａ】Ｕ部及びＩ部で構成される構造の磁気閉回路形状のコアを示す図である。
【図４ｂ】２つのＵ部で構成される構造の磁気閉回路形状のコアを示す図である。
【図５】各脚部が励起コイルを担持するコアに巻かれるＵ部を概略的に示す図である。
【図６ａ】放電管部とそれに組み込まれた各誘導巻線を示す図である。
【図６ｂ】巻線された脚部とそれに取り付けられる放電管部を各１つずつしか備えない場合のガス放電灯を示す図である。
【符号の説明】
【００５２】
１０  コア、
１０’  コアのＵ部、
１０”  コアのＩ部、
１２  （コアの）脚部、
１４  励起コイル、
１６  放電管部、
１８  反射層、
２０  コア。
【図１】
2007115684.tif 000003
【図２ａ】
2007115684.tif 000004
【図２ｂ】
2007115684.tif 000005
【図２ｃ】
2007115684.tif 000006
【図３】
2007115684.tif 000007
【図４ａ】
2007115684.tif 000008
【図４ｂ】
2007115684.tif 000009
【図５】
2007115684.tif 000010
【図６ａ】
2007115684.tif 000011
【図６ｂ】
2007115684.tif 000012